(57)【要約】【課題】電源や配線が不要で離れた場所で水平状態を検知することのできる無線タグを利用した水平検知システムを提供せんとするものである。【解決手段】基盤８上の湾曲案内面７と、傾斜角度によって湾曲案内面７上を移動する移動体９と、移動体９の位置を検知する検知手段と、検知手段の位置情報を無線通信方式で伝達する無線タグ２とで水平検知システム１を構成している。そして、前記無線タグ２を、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とで構成している。【選択図】  図３
2005147732.tif 000002
【特許請求の範囲】
【請求項１】
基盤上の湾曲案内面と、傾斜角度によって湾曲案内面上を移動する移動体と、移動体の位置を検知する検知手段と、検知手段の位置情報を無線通信方式で伝達する無線タグとから成り、該無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されていることを特徴とする無線タグを利用した水平検知システム。
【請求項２】
前記スイッチが二つの電極で構成されており、当該二つの電極間に移動体が位置したときに前記スイッチがＯＮ動作する請求項１に記載の無線タグを利用した水平検知システム。
【請求項３】
検知手段の位置情報に基づいて基盤を支持する各脚の高さ調節量を演算し、その演算結果を表示するようにした請求項１又は２に記載の無線タグを利用した水平検知システム。
【発明の詳細な説明】
【技術分野】
【０００１】
本発明は、湾曲案内面を移動する移動体の位置情報を無線タグを利用して検知し、無線タグから前記位置情報を無線電波（ここでは電磁波を含む、以下同じ）で発信し、リーダ側へ伝達するようにした無線タグを利用した水平検知システムに関するものである。
【背景技術】
【０００２】
通常、建築物の構築や各種設備機器の設置は、水平に行う必要があり、ガラス管に気泡を封入したアルコール液の水平器を用いるようにしている。そして、設置する設備機器の上に水平器を設置し、前記気泡の状態を目視で監視しながら調整している。そのため、水平調整のためには、作業者が水平器を覗き込みながら行う必要があり、設備機器等の調整と水平器の覗き込みを交互に繰り返して行わなければならず、その作業が極めて煩雑であった。
【０００３】
そのため、従来においては、特許文献１に示すように、電気的に水平状態を検知する手段（水平器）が開発され、公知である。この特許文献１に記載された技術は、僅かに湾曲した円弧状の真空ガラス管内に水銀を封入すると共に、中央部に所定の間隔を開けて複数の接点を配置している。各接点には、電源としての乾電池と、ブザーとが並列接続されている。そして、台板上に、前記真空ガラス管を中央部が高くなるように両端側を台板上に接して配置し、水平状態を検知するようにしている。
【０００４】
台板が傾斜していると、真空ガラス管内の水銀が移動していずれかの接点どうしを短絡させるようになり、当該回路のブザーを鳴らすので、どの程度の傾斜（水平状態）であるかをブザーの音声（音色）によって知ることが可能である。
【特許文献１】特開平６ー２０１３８１号公報
【発明の開示】
【発明が解決しようとする課題】
【０００５】
前記特許文献１に記載された従来の水平器では、電源が必須であり、電池の交換作業をしなければならなかった。また特許文献１の水平器では、電源やブザーのための配線も必要であって、配線が外部へ露出し、水平検知作業の邪魔になったり、見栄えも悪く、取扱いにも注意を要する等の問題があった。
【０００６】
本発明は従来の前記課題に鑑みてこれを改良除去したものであって、電源や配線が不要で離れた場所で水平状態を検知することのできる無線タグを利用した水平検知システムを提供せんとするものである。
【課題を解決するための手段】
【０００７】
而して、前記課題を解決するために本発明が採用した請求項１の手段は、基盤上の湾曲案内面と、傾斜角度によって湾曲案内面上を移動する移動体と、移動体の位置を検知する検知手段と、検知手段の位置情報を無線通信方式で伝達する無線タグとから成り、該無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されていることを特徴とする無線タグを利用した水平検知システムである。
【０００８】
本発明が採用した請求項２の手段は、前記スイッチが二つの電極で構成されており、当該二つの電極間に移動体が位置したときに前記スイッチがＯＮ動作する請求項１に記載の無線タグを利用した水平検知システムである。
【０００９】
本発明が採用した請求項３の手段は、検知手段の位置情報に基づいて基盤を支持する各脚の高さ調節量を演算し、その演算結果を表示するようにした請求項１又は２に記載の無線タグを利用した水平検知システムである。
【発明の効果】
【００１０】
請求項１の発明にあっては、設備機器等の水平状態が狂っていると、傾斜の度合いに応じて移動体が湾曲案内面上を移動し、格子状等にパターン配列した無線タグのスイッチをＯＮにする。これにより、当該無線タグは、リーダ側のアンテナから発信された電波を受信して内部に駆動用の電源を発生させる。そして、無線タグＩＣから当該無線タグの位置情報をアンテナを通じて無線電波で自動的に発信する。
リーダ側では、この位置情報をアンテナで受信して所定の信号処理を行い、水平状態がどのようになっているかを判断し、表示等している。従って、作業者は水平調節現場において前記表示器等を見ながら直接調節することができ、特許文献１のように常に水平器を直接目視する等のことは不要である。
また無線タグは無線電波で通信して水平状態を知らせており、電源及び配線が全く不要である。
【００１１】
請求項２の発明は、請求項１における無線タグのスイッチを二つの電極で構成したものであり、移動体によるスイッチのＯＮ／ＯＦＦ動作を簡単且つ確実にすることが可能である。
【００１２】
請求項３の発明は、無線タグＩＣの情報から基盤を支持する各脚の高さ調量を演算している。つまり、各脚の高さ調節量を数値的に表している。これにより、電動モータなどで各脚の高さ調節を行っている場合、演算した調節量をモータの制御回路へ出力してモータの回転数等の制御に変換し、自動的に高さ調節することも可能である。
【発明を実施するための最良の形態】
【００１３】
以下に、本発明の構成を図面に示す発明の実施の形態に基づいて説明すると次の通りである。図１乃至図３は、本発明の第１の実施の形態に係る無線タグ２を利用した水平検知システム１を示すものである。図１の図（Ａ）はユニットバス，キッチンキャビネット，洗面化粧台等の設備機器６の水平検知システムの場合を示す透視図、図（Ｂ）は無線タグ２の基本的構成を示す図面、図（Ｃ）は湾曲案内面７の平面図である。図２は無線タグ２の電気回路図、図３は湾曲案内面７と無線タグ２との基本概念を示す基盤８の縦断面図である。
【００１４】
基盤８は、図１に示すように、設備機器６の底板６Ａの中央部に固定設置されており、基盤８の上面側の或る一定面積の領域が、図３に示すように、一定の曲率を有する湾曲案内面７とされている。
【００１５】
無線タグ２は、図２に示す如く、リーダ側からの無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから構成されている。このように構成された無線タグ２は、複数個のものが湾曲案内面７において、格子状等にパターン配列されている。
【００１６】
また無線タグ２のスイッチ５は、図１の図（Ｃ）及び図３に示すように、基盤８の湾曲案内面７に面して露出する二つの電極５Ａ，５Ｂを有し、その間隔は湾曲案内面７を転動して移動する移動体（水銀球）９によって両電極５Ａ，５Ｂが短絡する寸法に設定されている。スイッチ５がＯＮ動作すると、アンテナ３がリーダ側からの無線電波を受信して電源の供給を受け、無線タグＩＣの動作用の電源が確保される。これにより、無線タグＩＣ４は、内部に保存されていたデータをアンテナ３からリーダ側のアンテナへ無線電波で送信するようになっている。データの内容は、各無線タグ２自体の位置情報である。
【００１７】
このように構成された水平検知システム１は、設備機器６の施工時等において、その水平状態を自動的に検知すべく動作する。設備機器６の水平状態が狂っていると、その傾斜の度合いに応じて移動体９が湾曲案内面７上を移動し、格子状等にパターン配列した無線タグ２のうちのいずれかのスイッチ５の二つの電極５Ａ，５Ｂ間を短絡させ、当該スイッチ５をＯＮにする。これにより、スイッチ５がＯＮになった無線タグ２は、リーダ側のアンテナから発信された電波を受信して内部に駆動用の電源を発生させる。そして、無線タグＩＣ４から当該無線タグ２の位置情報をアンテナ３を通じて無線電波で自動的に発信するようになる。
【００１８】
リーダ側では、この位置情報をアンテナで受信して所定の信号処理を行い、水平状態がどのようになっているかを判断し、例えば、液晶パネル等に具体的な数値として表示したり、水平状態を立体的にグラッフィック表示する等している。このリーダ側の表示装置は、直接に水平を検知している基盤８のある箇所からは離れた位置にあり、しかも基盤８とは無線電波による信号のやりとりであって、配線で繋がっていないので、設備機器６の設置作業者は、その設置現場において前記表示装置等を見ながら直接調節することができる。すなわち、特許文献１のように常に水平器を直接目視する等のことは不要であり、設備機器６の設置作業が極めて簡単である。
【００１９】
図４は本発明の第２の実施の形態に係るものであり、湾曲案内面７と無線タグ２との基本概念を示す基盤８の縦断面図である。この第２の実施の形態では、湾曲案内面７の表面に格子状等にパターン配列したスイッチを機械的なリミットスイッチ１０で構成するようにしている。リミットスイッチ１０は、湾曲案内面７の表面側に蓄性弾力でもって僅かに突出する接触子１１を有し、この接触子１１及びそのロッド１２の昇降動作によって無線タグ２のスイッチ切換部１３がＯＮ又はＯＦＦに切り換わるようになっている。
【００２０】
基盤８の水平状態が傾いていると、その傾斜の度合いに応じて移動体９が湾曲案内面７を転動して移動する。移動体９が移動することによって、格子状等にパターン配列したリミットスイッチ１０の接触子１１が押圧され、スイッチ切換部１３をＯＮに切り換える。これにより、無線タグ２はアンテナ３がリーダ側からの無線電波を受信して電源の供給を受け、無線タグＩＣの動作用の電源が確保される。無線タグＩＣ４は、内部に保存されていた位置情報のデータをアンテナ３からリーダ側のアンテナへ無線電波で送信する。リーダ側では、発信された位置情報を信号処理し、表示する等している。
その他の構成並びに作用効果については、前記第１の実施の形態の場合と同じであり、ここでの説明は省略する。
【００２１】
次に、本発明の第３の実施の形態について説明する。この実施の形態にあっては、前記第１の実施の形態における無線タグＩＣ４の位置情報（基盤８の傾き情報）から基盤８を支持する各脚１４Ａ〜１４Ｄの高さ調量を演算している。つまり、各脚１４Ａ〜１４Ｄの高さ調節量を数値的に表している。これにより、電動モータ（図示せず）などで各脚１４Ａ〜１４Ｄの高さ調節を行っている場合、演算した調節量をモータの制御回路へ出力してモータの回転数等の制御に変換し、自動的に高さ調節するようにすればよい。その他の構成並びに作用効果については、前記第１の実施の形態の場合と同じである。
【００２２】
ところで、本発明は上述した実施の形態に限定されるものではなく、適宜の変更が可能である。たとえば、無線タグ２のスイッチ５は、二つの電極５Ａ，５Ｂの場合及び機械的なリミットスイッチの場合を説明したが、その他にも機械と電気の複合的なリードスイッチや感圧式のスイッチ，静電容量型のスイッチ等が適用可能である。また無線タグ２は、その電極部分５Ａ，５Ｂのみを湾曲案内面７に面して配設し、その他のアンテナ３及び無線タグＩＣ４の部分は、多数のものをシート上に配設して設備機器６の底面６Ａ上に貼り付ける等の方法で取り付けるようにすることも可能である。更に、湾曲案内面７は特許文献１のように、一方向へのみの移動ができるものであってもよく、また全方面への移動ができるものであってもよい。
【産業上の利用可能性】
【００２３】
本発明に係る無線タグを利用した水平検知システムは、浴槽や洗面化粧台等の設備機器以外に、あらゆるものの水平状態を検知する技術として利用することが可能である。
【図面の簡単な説明】
【００２４】
【図１】本発明をユニットバス，キッチンキャビネット，洗面化粧台等の設備機器へ適用した第１の実施の形態に係る水平検知システムを示すものであり、図（Ａ）はその透視図、図（Ｂ）は無線タグの基本的構成を示す図面、図（Ｃ）は湾曲案内面の平面図である。
【図２】本発明の第１の実施の形態に係る無線タグの電気回路図である。
【図３】本発明の第１の実施の形態に係る湾曲案内面と無線タグとの基本概念を示す基盤の縦断面図である。
【図４】本発明の第２の実施の形態に係る湾曲案内面と無線タグとの基本概念を示す基盤の縦断面図である。
【符号の説明】
【００２５】
１…無線タグを利用した水平検知システム、２…無線タグ、３…アンテナ、４…無線タ  グＩＣ、５…スイッチ、５Ａ，５Ｂ…電極、６…設備機器、６Ａ…設備機器の底面、７  …湾曲案内面、８…基盤、９…移動体、１０…リミットスイッチ、１１…接触子、１２  …ロッド、１３…スイッチ切換部
【図１】
2005147732.tif 000003
【図２】
2005147732.tif 000004
【図３】
2005147732.tif 000005
【図４】
2005147732.tif 000006